(57)【要約】【課題】足底部分がふっくらとして保温性が高いパンティストッキングを提供する。【解決手段】このパンティストッキング１は、腹部および臀部を被覆するパンティ部３と、脚部を被覆するレッグ部２と、足部を被覆するフット部５とを備え、フット部５にカットボスの編地で編成した保温部５４を備え、この保温部５４は綿糸をカットボスして増糸するとともに、増糸した糸をコース方向にループとミスとを繰り返すフロート編みした編地で編成した。【選択図】図１
2020133033.tif 000002
【特許請求の範囲】
【請求項１】
少なくともフット部を備え、合成繊維を含んで一体的に編成された伸縮性編地により形成された下半身用衣類であって、
前記フット部の少なくとも一部に、保温性の高い糸をカットボスで増糸するとともに、前記保温性の高い糸をコース方向にループとミスとを繰り返すフロート編みした編地で編成した保温部を備えることを特徴とする下半身用衣類。
【発明の詳細な説明】
【技術分野】
【０００１】
本発明は、下半身用衣類である、フット部とレッグ部（レッグ部の長さは限定されない）とを備えたストッキング、さらにパンティ部を備えたパンティストッキングまたはタイツ等に関し、特に、少なくともフット部を備えた下半身用衣類であって、足底部がふっくらとして暖かい下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン弾性糸を芯糸としてナイロン糸を巻き付けたカバリング糸）を交互に使用して編成する。ある程度のサポート（弾性）力および透明感の両方を求めるときに好適である。太さの異なる２種類の糸を使用するため横縞模様が表れる。
ゾッキ（ゾッキ編み）は、一般的にはサポート糸（ポリウレタン弾性糸を芯糸としてナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みのストッキングが、最近では増えてきている。
【０００４】
このようにストッキングは、ナイロン糸から編成された伸縮性編地またはナイロン糸とポリウレタン糸とから編成された伸縮性編地により形成される合成繊維素材であるために吸湿性が不十分で着用時に蒸れやすく汗ばみ易やすい。一方、人間はじっとしていても不感蒸泄により一日あたり８５０ｇの汗をかくと言われ、特に足の裏は、運動のみでなくストレスからも発汗が促進されることから、このようなストッキング着用時に発汗による不快感で悩んでいる人は多い。さらに、このようなストッキング着用時に、革靴、運動靴、長靴、ブーツ等の足がスッポリと入る履物は、中の空気と外の空気が入れ替わり難いことから、足の裏からの発汗による不快感は非常に高いものである。
【０００５】
このような問題点に関連して、足部の発汗を効果的に吸湿してむれによる不快感を解消することができるストッキングが提案されている。たとえば、本願出願人の出願に係る特開２０１５−０４８５５１号公報（特許文献１）は、足底部分の吸湿性が高く、かつ、靴を履いたときに滑りが発生することを防止するパンティストッキングを開示する。このパンティストッキングは、少なくともフット部を備え、合成繊維から編成された伸縮性編地により形成された下半身用衣類であって、前記フット部の足裏当接側の少なくとも一部に吸湿性の高い天然繊維を添え糸編みした吸湿部を備え、前記吸湿部の一部は添え糸編みされていないことを特徴とする。
【先行技術文献】
【特許文献】
【０００６】
【特許文献１】特開２０１５−０４８５５１号公報
【発明の概要】
【発明が解決しようとする課題】
【０００７】
上述した特許文献１に開示されたパンティストッキングによると、そのフット部の足裏当接側の少なくとも一部であって好ましくは足指元近傍から土踏まず前端近傍に吸湿部が、綿糸を添え糸編みした吸湿領域および綿糸を添え糸編みしていない透湿領域で編成されている。このため、吸湿部の吸湿領域により足の裏から発生した汗が吸収されて不快感は解消されるとともに、吸湿部の透湿領域により靴内底へ汗の水分が浸透して靴内底とパン
ティストッキングとの滑りを防止することができる。その結果、足底部分の吸湿性が高く、かつ、靴を履いたときに滑りが発生することを防止することができ、市場においても非常に高い評価を得ているパンティストッキングとなっている。
【０００８】
ところで、上述した特許文献１に開示されたパンティストッキングは、専ら夏季シーズンを中心として着用されることに主眼をおいて開発されたものであるために、寒い冬季シーズンを中心として着用する場合には、このパンティストッキングは積極的な保温性（特に足底部）を備えるわけではないので、このままでは好ましくない。本願出願人は、このような冬季シーズンに好ましいパンティストッキングの開発を進めるにあたり、保温性と履き心地との両方を向上させる点に着目した。
【０００９】
本発明は、従来技術の上述の問題点に鑑みて開発されたものであり、その目的とするところは、足底部分がふっくらとして保温性が高い下半身用衣類を提供することである。
【課題を解決するための手段】
【００１０】
上記目的を達成するため、本発明に係る下半身用衣類は以下の技術的手段を講じている。
すなわち、本発明に係る下半身用衣類は、少なくともフット部を備え、合成繊維を含んで一体的に編成された伸縮性編地により形成された下半身用衣類であって、前記フット部の少なくとも一部に、保温性の高い糸をカットボスで増糸するとともに、前記保温性の高い糸をコース方向にループとミスとを繰り返すフロート編みした編地で編成した保温部を備えることを特徴とする。
【発明の効果】
【００１１】
本発明の下半身用衣類によれば、足底部分がふっくらとして保温性が高い下半身用衣類を提供することができる。
【図面の簡単な説明】
【００１２】
【図１】本発明の実施の形態に係るパンティストッキングを平面に載置した状態における、（Ａ）側面図、（Ｂ）正面図である。
【図２】図１のパンティストッキングを着用した状態におけるフット部についての、（Ａ）斜視図、（Ｂ）親指側側面図、（Ｃ）小指側側面図である。
【図３】図１のパンティストッキングを着用して爪先立ちした状態におけるフット部についての、（Ａ）爪先側斜視図（表側）、（Ｂ）爪先側斜視図（裏側：裏返し）、（Ｃ）踵側斜視図（表側）、（Ｄ）踵側斜視図（裏側：裏返し）である。
【発明を実施するための形態】
【００１３】
以下、本発明の実施の形態に係るパンティストッキング１を、図面に基づき詳しく説明する。
このパンティストッキング１を平面に載置した状態における側面図を図１（Ａ）に、その正面図を図１（Ｂ）にそれぞれ示す。図１（Ｂ）は正面図であるので、フット部５は足裏側ではなく足甲側が示されている。このパンティストッキング１は、通常のパンティストッキング等の下半身用衣類と同じく、腹部および臀部を被覆するパンティ部３と、脚部を被覆するレッグ部２と、足部を被覆するフット部５とを備えるものである。このパンティストッキング１は、筒状に編成された１対の編地を用い、パンティ部３に相当する部分に切れ目を入れて裁断縁どうしをつき合わせて股部４を縫着して一体化することにより製造される。また、限定されるものではないが、フット部５の先端部５３は周知の手段により、袋状に編成したり、開口部を縫合したりすることにより製造される。
【００１４】
なお、本実施の形態に係る下半身用衣類をパンティストッキングとしているが、本発明は少なくともフット部を備えるストッキング、ショートストッキング、タイツ、靴下等の下半身用衣類を含む。
このパンティストッキング１は、ナイロン糸と、サポート糸（ポリウレタン弾性糸を芯糸としてナイロン糸を巻き付けたカバリング糸）を交互に使用して編成した交編編みであっても、ポリウレタン弾性糸を芯糸としてナイロン糸を巻き付けたカバリング糸の１種類のみで編成したゾッキ編みであっても、後述する特徴（フット部５の少なくとも一部に保温部５４を備えているという特徴）を備え、かつ、合成繊維を含んで一体的に編成された
伸縮性編地により形成されたパンティストッキングであれば構わない。このパンティストッキング１においては、レッグ部２と（後述する保温部５４を除く）フット部５とは同じ編糸および同じ編成であって（編地５１で図示されこの編地５１はたとえばカバリング糸のプレーン（平）編み（ゾッキ編み））、限定されるものではないがこれら（レッグ部２、フット部５）とパンティ部３とは異なる編糸または編成である。また、パンティ部３の上端には伸縮性の低い（伸びにくい）ゴム編み等によりウエスト部３１が編成されており、着用時に腹部を締めてパンティストッキング１がずり下がることを防止している。
【００１５】
なお、上述した以外にもパンティストッキングの構造には様々なものがあり、本発明は特定の構造に限定されるものではなく、フット部５の少なくとも一部に上述した保温部５４を備えるという特徴を備えたものであれば、どのようなパンティストッキングの構造であっても、パンティストッキングを構成する生地の種類、生地の型紙およびその縫製がどのようなものであっても構わない。そのため、本実施の形態に係るパンティストッキング１において、特徴以外の構造自体は単なる例示でしかない。
【００１６】
図１に加えて図２〜図３を参照して、このパンティストッキング１の特徴について詳しく説明する。図２（Ａ）は、このパンティストッキング１を着用した状態におけるフット部５についての斜視図であって、図２（Ｂ）はその親指側側面図であって、図２（Ｃ）はその小指側側面図である。図３（Ａ）は、このパンティストッキング１を着用して爪先立ちした状態におけるフット部５についての（Ａ）爪先側斜視図（表側）であって、図３（Ｂ）はその爪先側斜視図（裏側：裏返し）であって、図３（Ｃ）はその踵側斜視図（表側）であって、図３（Ｄ）はその踵側斜視図（裏側：裏返し）である。
【００１７】
ここで、図２および図３は、着用者の足Ｆにこのパンティストッキング１を着用している状態を想定している。すなわち、本実施の形態に係るパンティストッキング１は、パンティストッキング等に通常用いられる薄手の伸縮性編地で形成されているために、このように想定して図示しない場合には縮んだ状態となり、形状を理解することが困難なため、上述のように想定している。特に、図２（Ｂ）および図２（Ｃ）ならびに図３（Ｃ）および図３（Ｄ）においては、このパンティストッキング１の特徴を容易に理解できるように、実際に着用している状態よりも足裏部５４Ｃがよく見えるように描かれている（限定されるものではないが足裏部５４Ｃは故意に見えにくい構成としている）。
【００１８】
これらの図１〜図３に示すように、このパンティストッキング１は、少なくともフット部５を備え、合成繊維を含んで一体的に編成された伸縮性編地により形成されている。そして、このパンティストッキング１の特徴として、上述した保温部５４を備える。
この保温部５４は、フット部５の少なくとも一部に、保温性の高い糸をカットボスで増糸するとともに、保温性の高い糸をコース方向にループとミスとを繰り返すフロート編みしたパイル調の編地で編成されている。ここで、限定されるものではないが、この保温性の高い糸は短繊維であることが好ましく、綿糸であることがさらに好ましい。
【００１９】
なお、保温部５４の編み組織におけるフロート編みについては、１ループに対するミスの割合が２〜５であることが後述する高い保温性と良好な履き心地（ふっくら感）を両立させる点で好ましい。
このパンティストッキング１においては、保温部５４は爪先部５４Ａ、側辺部５４Ｂおよび足裏部５４Ｃで構成されている。なお、側辺部５４Ｂの高さ方向の長さが小さい部分があり（後述する作用効果を発現するためにこのように故意に小さくしている）側辺部５４Ｂと足裏部５４Ｃとを明確に区別できない部分がある。
【００２０】
このパンティストッキング１は、その全体が一体的に編成されるために、保温部５４も一体的に編成される。この場合において、このパンティストッキング１はたとえば柄編機により編成され、保温部５４が、ベース（編地５１の部分）を編成する地糸（たとえばカバリング糸）とは異なる違う糸（保温部５４に保温性の高い糸）を増糸して必要以外の部分（ここでは保温部５４以外の部分）をカットするカットボスの編地で編成でされている。さらに、この保温部５４においては、そのカットボスで増糸された糸がコース方向にループとミスとを繰り返すフロート編みした編地で編成されている。このように編成された保温部５４を備えたパンティストッキング１は、保温部５４が綿混のパイル調の編み組織
として編成されたことにより、足の裏がふっくらした履き心地で、かつ、暖かい。なお、ミスした編糸により実現される綿混のパイル調のふっくらとした面は足裏当接側に現れる。
【００２１】
さらに詳しく、このパンティストッキング１を編成する編糸および編み組織について説明する。
保温部５４以外のベース（ストッキング地）の編み組織は、上述したように、交編編みであってもゾッキ編みであっても構わないが、一例として、このパンティストッキング１においては、ポリウレタン弾性糸を芯糸としてナイロン糸を巻き付けたカバリング糸の１種類のみで編成したゾッキ編みを採用している。このカバリング糸として、このパンティストッキング１においては、ポリウレタン弾性糸を芯糸としてナイロン糸を１重だけ巻き付けたシングルカバードヤーン（ＳＣＹ（Ｓｉｎｇｌｅ  Ｃｏｖｅｒｅｄ  Ｙａｒｎ）を採用している。なお、カバリング糸は、ダブルカバードヤーン（ＤＣＹ（Ｄｏｕｂｌｅ  Ｃｏｖｅｒｅｄ  Ｙａｒｎ）と呼ばれる、ポリウレタン弾性糸を芯糸としてナイロン糸を２重に巻き付けたカバリング糸であっても構わない。
【００２２】
保温部５４の編み組織は、大略的には、保温部５４以外のベース（ストッキング地）にＳＣＹ（より詳しくは後述するＳＣＹ（２））および綿糸をカットボスして増糸した編み組織で、かつ、カットボスして増糸した綿糸をコース方向（Ｃ方向）にループとミスとを繰り返すフロート編みした編地を採用している。さらに、より詳しくは３ループに対して１ミスの割合でフロート編みが編成されている。このようにフロート編みにおけるループとミスとの比率は、ループ１：ミス３を一例として示すが、１ループに対するミスの割合が２〜５（ループ１：ミス２〜５）であっても構わない。このようなループに対するミスの割合であると、フロート編みにおける綿糸のミスによって、ＳＣＹの芯糸として用いられているポリウレタン弾性糸が、保温部５４における保温性の高い綿糸よりも伸縮性が高くよく縮むので、ミスでループを形成しない綿糸の部分が膨らんで保温性が向上したり、ふっくらとした感じ（パイル調）を発現させて履き心地を向上させたりするので、高い保温性と良好な履き心地を両立させる点で好ましい。
【００２３】
さらに、より具体的には、限定されるものではないが、編み組織および編糸については、以下の通りである。
・保温部５４以外のベース（ストッキング地）
ＳＣＹ（１）のプレーン編み
ＳＣＹ（１）の組成
芯糸：ポリウレタン弾性糸（２２デシテックス）
捲糸：ナイロン糸（１３デシテックス）
・保温部５４
ＳＣＹ（２）および綿糸をベース（ストッキング地）に挿入（カットボス）
ＳＣＹ（２）の組成
芯糸：ポリウレタン弾性糸（２２デシテックス）
捲糸：ナイロン糸（２２デシテックス）
綿糸の組成
６０番手
【００２４】
限定されるものではないが、ベース（ストッキング地）に挿入（カットボス）されるＳＣＹ（２）および綿糸は、このパンティストッキング１においては、４口丸編み機が備えるカットボス用の糸道を用いて、第１口および第３口に供給されたＳＣＹ（２）をプレーン（平）編み組織により、かつ、第２口および第４口に供給された綿糸を１×３ミスメッシュの編み組織により、編成した。より詳しくは、以下のように表される。Ｐはプレーン、Ｍはミスを示しており、Ｍの部分で綿糸がループ（編み目）を形成しないでかさ高いパイル調を実現している。
【００２５】
↓ウェール方向  ／  →コース方向
第１口：ＳＣＹ（２）：Ｐ  Ｐ  Ｐ  Ｐ
第２口：綿糸        ：Ｍ  Ｍ  Ｍ  Ｐ
第３口：ＳＣＹ（２）：Ｐ  Ｐ  Ｐ  Ｐ
第４口：綿糸        ：Ｍ  Ｐ  Ｍ  Ｍ
このような編糸でこのような編み組織で編成された保温部５４において、保温性の高い綿糸が膨らんでパイル調となり、保温性を向上させるとともにふっくらな履き心地を実現することができる。
【００２６】
このパンティストッキング１においては、保温部５４における側辺部５４Ｂの高さ方向の長さを小さくして側辺部５４Ｂがほぼ存在しないようにして爪先部５４Ａおよび足裏部５４Ｃのみで構成するようにしたり、保温部５４における側辺部５４Ｂの高さ方向の長さを小さくして爪先部５４Ａをなくして側辺部５４Ｂおよび爪先部５４Ａ（足甲側）がほぼ存在しないようにして足裏部５４Ｃのみで構成するようにしたりすることも好ましい。すなわち、側辺部５４Ｂの高さ方向の長さを小さくすることを意味する。このようにすると、図２（Ａ）に示すように、爪先立ちしない通常の状態では、爪先部５４Ａの部分しか見えず側辺部５４Ｂおよび足裏部５４Ｃは見えない。さらに、保温部５４を足裏部５４Ｃのみまたは足裏部５４Ｃの一部のみとして編成することにより、爪先立ちしない通常の状態では、保温部５４が見えないようにできる。
【００２７】
また、このパンティストッキング１においては、保温部５４が編地５１と一体的に編成されているので、保温部５４がフットカバー（ここで示すフットカバーとは、爪先と踵を含む足底とを被覆するとともに足甲および足首を露出するパンティストッキング等の薄手の生地で編成された下肢用衣類であって、着用時にパンプス等から露出することのないよう履き口が大きくカットされている下肢用衣類）のように歩行等の動作によって脱げたり位置ずれしたりすることがない。このため、足底部分の保温性が高く、かつ、ふっくらとした履き心地を実現できる。
【００２８】
なお、パンティストッキング１を冬季シーズンに好適な下半身用衣類とするために、パンティストッキング１のパンティ部３、レッグ部２およびフット部５（フット部５については保温部５４以外の編地５１部分）を構成する編地を保温性を発生させる編糸および編成を採用することが好ましい（この場合にはタイツに近い編糸および編成となる場合がある）。
【００２９】
さらに、保温部５４においてカットボスされる糸を、このパンティストッキング１のフット部５の編地５１を編成する合成繊維と同じ色（または同じような色）とした場合には、パンティストッキング１のフット部５に編成された保温部５４が目立たない点で好ましい。
ここで、保温部５４を足裏部５４Ｃのみとしてカットボスで編成すると、スカートを着用した場合において素足のように見えるにも関わらず、足の裏がふっくらとしたパイル調の保温部５４に当接して暖かく履き心地が良い点で好ましい。すなわち、足底部にフットカバー型でパイル組織を編み込んだ保温部５４を設けたので、履き心地良く、しっかり保温することができる。
【００３０】
また、ＳＣＹ（１）の捲糸として繊度が１３デシテックスと細い極細マイクロファイバーナイロンを採用したので、履いた瞬間からソフトで暖かな触感を実現することができるとともに、ストッキングの透明感も実現することができる。
なお、この保温部５４を含めて、パンティストッキング１にはアルガンオイル等の成分を容易に配合することができて容易に保湿加工することができるるので、冬季シーズンにさらに好適に使用することができる。
【００３１】
以上のようにして、本実施の形態に係るパンティストッキングによると、そのフット部の少なくとも一部に保温部５４を設けて、この保温部５４においては地糸と異なる糸を増糸してカットボスの編地で編成してパンティストッキングの他の部分と一体的に編成されている。この保温部５４は、フット部５の少なくとも一部に、保温性の高い糸（綿糸）をカットボスで増糸するとともに、この保温性の高い糸（綿糸）をコース方向にループとミスとを繰り返すフロート編みした編地で編成している。このため、保温部５４において保温性が向上する点で好ましく、保温部５４におけるパイル調で地厚でふっくら感で履き心地良くかつ暖かく感じることができる点で好ましい。
【００３２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３３】
本発明は、足底部分の保温性が高く、パイル調で暖かくかつ履き心地の良い下半身用衣類に好適であり、特に、フット部を備えたパンティストッキング等の下半身用衣類に特に好適である。
【符号の説明】
【００３４】
１  パンティストッキング
２  レッグ部
３  パンティ部
４  股部
５  フット部
５４  保温部
【図１】
2020133033.tif 000003
【図２】
2020133033.tif 000004
【図３】
2020133033.tif 000005